(57)【特許請求の範囲】
【請求項１】
器具棚と, カメラとを備えた顯微鏡と, モニターと，吸引器とを備えた耳診断治療用ユニットと, 座面と，背もたれと，ひじかけと，いす回転駆動部とを備えた患者用回転いすにおいて,
前記器具棚に連結される第１のリンク機構と,
前記顯微鏡に連結される第２のリンク機構と,
前記モニターに連結される第３のリンク機構と，
前記いす回転駆動部の回転軸と前記第１〜第３のリンク機構とを連結し，回転軸を回転中心にして患者用回転いすの周りに沿って回転されつつ所定角度で保持された前記顯微鏡とモニターとを同時に，またはそれぞれ位置を調整する回転支持手段とを含み，
前記回転支持手段は，前記回転軸の外周に支持されて回転する回転板と，前記回転板の外周面の一側と前記第２のリンク機構とを連結する連結バーと，前記回転板の外周面の他側と前記第３のリンク機構とを連結する連結バーとを含むことを特徴とする患者用回転いす。
【請求項２】
前記背もたれの一側には，前記顯微鏡と，モニターと，吸引器との駆動を制御するよう，操作スイッチボックスを装着されたことを特徴とする請求項１に記載の患者用回転いす。
【請求項３】
前記吸引器は，前記背もたれの上面の両側にそれぞれ装着されたことを特徴とする請求項１に記載の患者用回転いす。
【請求項４】
前記ひじかけの上面の一側には, 血圧測定器を装着されたことを特徴とする請求項１に記載の患者用回転いす。
【請求項５】
器具棚と, カメラとを備えた顯微鏡と, モニターと，吸引器とを備えた耳診断治療用ユニットと, 座面と，背もたれと，ひじかけと，いす回転駆動部とを備えた患者用回転いすにおいて,
前記器具棚に連結される第１のリンク機構と,
前記顯微鏡に連結される第２のリンク機構と,
前記モニターに連結される第３のリンク機構と，
前記いす回転駆動部の回転軸と前記第１〜第３のリンク機構とを連結し，回転軸を回転中心にして患者用回転いすの周りに沿って回転されつつ所定角度で保持された前記顯微鏡とモニターとを同時に，またはそれぞれ位置を調整する回転支持手段とを含み，
前記回転支持手段は, 前記回転軸の外周に軸受を介して同芯に支持されて回転軸の回転とは別に水平方向へ回転され，その上面の中央に対し周りに沿って所定間隔を隔てて複数の分割溝を削成された回転板と,
前記いす回転駆動部のケースの一側に穿設された開口穴にヒンジ軸を介して水平方向へシーソ運動されるようにヒンジされて，その先端側ロック部はケース内で前記複数の分割溝中，そのいずれかの１つと選択的に結合，または分離され，その後端はケースの外部に突出されるプシュレバーと,
前記ケースの一側とプシュレバーの先端側の上面との間に設けられて，プシュレバーの先端側を下降動されるよう弾発力を加える弾発部材と,
前記回転板の外周面に１８０゜の間隔を隔てて相互に対向されるよう，水平方向へ一側端がそれぞれ固定されて回転板の回転によって同時に位置調整される中空状の連結バーと,
該連結バー内に一側端が挿入されて空回転されずに水平方向へ摺動される固定バーと,
該固定バーの上端の外周に装着されて上下移動され，その上端の所定高さに前記モニターを第３のリンク機構によって支持する移動バーと,
前記連結バー内に一側端が挿入されて空回転されずに水平方向へ摺動され，その所定高さに前記器具棚を第１のリンク機構によって支持する固定バーと,
該固定バーの上端の外周に装着されて上下移動され，その上端の所定高さに前記顯微鏡を第２のリンク機構によって支持する移動バーとから構成されることを特徴とする患者用回転いす。
【請求項６】
器具棚と, カメラとを備えた顯微鏡と, モニターと，吸引器とを備えた耳診断治療用ユニットと, 座面と，背もたれと，ひじかけと，いす回転駆動部とを備えた患者用回転いすにおいて,
前記器具棚に連結される第１のリンク機構と,
前記顯微鏡に連結される第２のリンク機構と,
前記モニターに連結される第３のリンク機構と，
前記いす回転駆動部の回転軸と前記第１〜第３のリンク機構とを連結し，回転軸を回転中心にして患者用回転いすの周りに沿って回転されつつ所定角度で保持された前記顯微鏡とモニターとを同時に，またはそれぞれ位置を調整する回転支持手段とを含み，
前記回転支持手段は, 前記回転軸の外周の下端側に固定されて回転軸と同時回転されるよう, 外周面に沿って所定間隔を隔てて複数の分割溝を削成された回転板と,
該回転板の外周に回転自在に支持され，その内周面の一側に前記複数の分割溝とそれぞれ対応するよう, 複数の収納溝を削成された回転輪と,
前記複数の収納溝に圧縮弾発部材を介してそれぞれ弾支されて前記複数の分割溝との摺接によって結合，または分離されるロックボールと,
前記回転輪の外周面に１８０゜の間隔を隔てて相互に対向されるよう，水平方向へ一側端がそれぞれ固定されて回転輪の回転によって同時に位置調整される中空状の連結バーと,
該連結バー内に一側端が挿入されて空回転されないよう水平方向へ摺動される固定バーと, 前記連結バー内に一側端が挿入されて空回転されないよう水平方向へ摺動され，その中間高さに器具棚を第１のリンク機構によって支持する固定バーと,
該固定バーの上端の外周に装着されて上下移動され，その上端の所定高さに前記モニターを第３のリンク機構によって支持する移動バーと,
前記固定バーの上端の外周に装着されて上下移動され，その上端の所定高さに前記顯微鏡を第２のリンク機構によって支持する移動バーとから構成されることを特徴とする患者用回転いす。
【請求項７】
器具棚と, カメラとを備えた顯微鏡と, モニターと，吸引器とを備えた耳診断治療用ユニットと, 座面と，背もたれと，ひじかけと，いす回転駆動部とを備えた患者用回転いすにおいて,
前記器具棚に連結される第１のリンク機構と,
前記顯微鏡に連結される第２のリンク機構と,
前記モニターに連結される第３のリンク機構と，
前記いす回転駆動部の回転軸と前記第１〜第３のリンク機構とを連結し，回転軸を回転中心にして患者用回転いすの周りに沿って回転されつつ所定角度で保持された前記顯微鏡とモニターとを同時に，またはそれぞれ位置を調整する回転支持手段とを含み，
前記回転支持手段は, 前記回転軸の外周の下端側の上下高さにそれぞれ固定されて回転軸と同時に回転されるよう外周面に沿って所定間隔を隔てて複数の分割溝をそれぞれ削成された第１、２の回転板と,
該回転板の外周に回転自在に支持され，その周りの一側に前記分割溝とそれぞれ対応するよう通穴をそれぞれ穿設された回転輪と,
該回転輪の外周面の一側に固定ブラケットを介してそれぞれ前後移動可能に支持され，その先端は前記通穴内で前記複数の分割溝中，いずれかの１つと選択的にそれぞれ結合，またはそれぞれ分離されるロックピンと,
前記固定ブラケット内にそれぞれ設けられて前記ロックピンは前記回転板の外周面に向けてそれぞれ前進移動されるよう，それぞれ弾発力を加える弾発部材と,
前記固定ブラケットの下端の一側にヒンジ軸を介してそれぞれシーソ運動されるようにヒンジされ，その上端は前記ロックピンの後端に係止状態で外力が作用される場合，ロックピンをそれぞれ後進移動させるプシュレバーと,
前記回転輪の外周面の一側に水平方向へ一側端がそれぞれ固定されて回転輪のそれぞれの回転時に所定角度でそれぞれ位置調整されるか，または回転輪の同時回転時に所定角度を保持しつつ同時に位置調整される中空状の連結バーと,
該連結バー内に一側端を挿入されて空回転されないよう水平方向へ摺動される固定バーと, 前記連結バー内に一側端を挿入されて空回転されないよう水平方向へ摺動され，その中間高さに器具棚を第１のリンク機構によって支持する固定バーと,
該固定バーの上端の外周に装着されて上下移動され，その上端の所定高さに前記モニターを第３のリンク機構によって支持する移動バーと,
前記固定バーの上端の外周に装着されて上下移動され，その上端の所定高さに前記顯微鏡を第２のリンク機構によって支持する移動バーとから構成されることを特徴とする患者用回転いす。
【請求項８】
前記第１の回転板側の複数の分割溝と，前記第２の回転板側の複数の分割溝とは，前記回転軸を回転中心にして，相互に同一角度で分散されるようそれぞれ削成されたことを特徴とする請求項７に記載の耳診断治療用ユニットを装着されて患者用回転いす。
【請求項９】
前記固定バーは，レ字状にそれぞれ折曲されて, その下端の水平部は前記連結バーとキー方式でそれぞれ結合されて，同芯をなすように構成されたことを特徴とする請求項５，６，７のいずれかに記載の患者用回転いす。
【請求項１０】
前記移動バーは，その外周下端の一側をネジ式で貫通して前記固定バーの外周面に所定高さで密着される調整ノーブによって高低が調整されるように構成されたことを特徴とする請求項５，６，７のいずれかに記載の患者用回転いす。
【請求項１１】
器具棚と, カメラとを備えた顯微鏡と, モニターと，吸引器とを備えた耳診断治療用ユニットと, 座面と，背もたれと，ひじかけと，いす回転駆動部とを備えた患者用回転いすにおいて,
前記器具棚に連結される第１のリンク機構と,
前記顯微鏡に連結される第２のリンク機構と,
前記モニターに連結される第３のリンク機構と，
前記いす回転駆動部の回転軸と前記第１〜第３のリンク機構とを連結し，回転軸を回転中心にして患者用回転いすの周りに沿って回転されつつ所定角度で保持された前記顯微鏡とモニターとを同時に，またはそれぞれ位置を調整する回転支持手段とを含み，
前記回転支持手段は, 前記回転軸に前記患者用回転いすの回転とは別に回動自在に支持する回転板と,
該回転板の外周面に水平方向へ一側端が固定される中空状の連結バーと,
前記連結バー内に一側端が挿入されて空回転されずに水平方向へ摺動されるよう，レ字状に折曲され，その垂直端の所定高さに第１のリンク機構によって器具棚を支持する固定バーと,
該固定バーの上端の外周に装着されて上下移動され，その所定高さに第２のリンク機構によって顯微鏡を支持する移動バーと,
該移動バーの上端に装着されて左右回転されるようフ字状に折曲され，その水平端の端部に第３のリンク機構によってモニターを支持する支持バーとから構成されることを特徴とする患者用回転いす。
【請求項１２】
前記支持バーは，その垂直端の下端が前記移動バーの上端内に同芯になるよう挿入されつつ, 移動バーの上端の周りに一側は貫通される調整ノーブによって固定されたことを特徴とする請求項１１に記載の患者用回転いす。
【発明の詳細な説明】
【０００１】
【発明の属する技術分野】
この発明は，患者用回転いすに係り，より詳しくは，耳鼻咽喉科において耳の治療に使用される，例えば，吸引器と，治療器具棚と，CCDカメラ(Charge Coupled Device Camera)とを付設された顯微鏡と，モニター(患者から治療過程が観察可能な映像画面)および，これを制御する操作スイッチボックスなどの診断処理装置とを装着された患者用回転いすに関するものである。
【０００２】
【従来の技術】
一般に，従来による耳鼻咽喉科治療用ユニットは，国内の実用新案登録第２47914号に開示された図１，２のごとく，吸引器(1)と，CCDカメラを付設された顯微鏡(3)と，患者用モニター(5)と，治療者用モニター(7)と，スタンド(9)と，フィルム類ボックス(11)と，ライトソース(13)と，操作スイッチボックス(15)などを備えた１つのユニット体(17)とからなり，治療者用いす(20)と複数の患者用回転いす(22)とから所定距離に離隔された位置に定置され，それぞれの患者用回転いす(22)に安座されている患者を治療者がユニット体(17)の所定位置に分散装着されている前記治療器具を利用して治療を行うようになっている。
【０００３】
【発明が解決しようとする課題】
ところで，上記のごとく構成された従来のユニット体は，患者用回転いすから所定距離に離隔された位置に定置されていることから，治療者がこれを利用して治療を行う場合，患者が腰を掛けている患者用回転いすの位置までユニット体に装着された治療器具を度ごとに移動しつつ，治療を行わなければならないという煩雑さと不都合があるばかりか，診察室の空間を大きく占めるなどの問題点があった。
【０００４】
とりわけ，顯微鏡と患者用モニターとは，患者用回転いすの回転方向，または解剖学的に人体の１８０゜部分に位置する両耳の方向とはなんらかかわりのないよう，前記ユニット体に設けられて限られた方向だけに移動されうる仕組みになっていることから，指定された患者用回転いすに腰を掛けている患者が移動されていない状態で，右耳と左耳の治療過程のすべてを前記患者用モニターを通して観察可能に治療を行う場合，患者用回転いすに腰を掛けている患者の視線と患者用モニターとの角度が常に一致になるよう，患者の顔面角度，または患者用回転いすの回転移動を停止させてから，患者の両耳に対応する方向へ治療者が動かしながら顯微鏡の角度を度ごとに調整しなければならないという不都合と煩雑さがあった。
【０００５】
また，治療者が治療者用いすに腰を掛けている状態で，顯微鏡を通して患者の両耳のすべての治療を行う場合には，患者を複数の患者用回転いすで移動させつつ治療をする治療方法と，指定された患者用回転いすを回転させつつ治療する治療方法とがある。
【０００６】
前者の治療方法は，患者の視線と患者用モニターとの角度が一致する方向へ配置された右側，または左側の患者用回転いすで患者を移動させつつ治療することから，患者が自己の両耳の治療過程を患者用モニターを通して観察しうる利点がある反面，患者が移動すべき不都合と煩雑さがあるばかりか，治療時間が長びくという問題点がある。
【０００７】
後者の治療方法は，患者が指定された患者用回転いすでのみ治療されることから，複数の患者用回転いすで移動すべき不都合がない反面，患者用回転いすの回転時に患者の視線と患者用モニターとの角度がくい違うことによって，患者は自己の両耳のうちのいずれか一方の治療過程を患者用モニターを通して観察できないという問題点がある。
【０００８】
そこで，この発明は上記種々の問題点を解決するためになされたものであって，この発明の目的は，患者用回転いすの一側に耳診断治療用ユニット(例えば，モニター，顯微鏡，器具棚，吸引器，血圧測定器など)を一体に装着することによって，治療者と患者のすべてが移動することなしに，耳診断治療用ユニットを回転することだけで，両耳診断および治療が行えるようにし，これによって，治療者と患者にあたえる不都合と煩雑さを最少化するとともに，治療時間を短縮せしめ，診察室内での占める空間を最少化せしめる患者用回転いすを提供することにある。
【０００９】
また，この発明のその他の目的は，モニターと顯微鏡が解剖学的に人体の１８０゜部分に位置された両耳方向とそれぞれ対応するよう，患者用回転いすを回転中心にして，その周りに沿って円を描きながら同時に回転されるようにすることによって，顯微鏡を通して拡大された患者の細く暗い耳孔および，鼓膜などを患者が反対側のモニターを通して自己の耳の治療過程を観察できるようにし,治療者は患者の耳を治療しつつ患者と患者保護者にモニターを通して治療過程が説明できることから，信頼度をより一層高められることはもとより，治療効果を極大化できる患者用回転いすを提供することにある。
【００１０】
【課題を解決するための手段】
上記のような目的を達成するためになされたこの発明に従う耳診断治療用ユニットを装着された患者用回転いすは，吸引器と，器具棚と，CCDカメラを備えた顯微鏡と,モニターとを備えた耳診断治療用ユニットと，座面と，背もたれと，ひじかけと，いす回転駆動部とを備えた患者用回転いすにおいて，前記いす回転駆動部の一側に装着されて前記吸引器と，顯微鏡と，モニターとの駆動を制御する操作スイッチボックスと，前記器具棚を装着された吸引器と背もたれとを連結して吸引器を水平方向へ位置を調整する第１のリンク機構と，前記顯微鏡と背もたれとを連結して顯微鏡を左右および上下方向へ位置を調整する第２のリンク機構と，前記モニターとひじかけとを連結してモニターを左右方向へ位置を調整する第３のリンク機構とから構成されることを特徴とする。
【００１１】
また，この発明に従う患者用回転いすは，器具棚と，CCDカメラとを備えた顯微鏡と，モニターと，吸引器とを備えた耳診断治療用ユニットと，座面と，背もたれと，ひじかけと，いす回転駆動部とを備えた患者用回転いすにおいて，前記器具棚に連結される第１のリンク機構と，前記顯微鏡とを連結される第２のリンク機構と，前記モニターに連結される第３のリンク機構と，前記いす回転駆動部の回転軸と，前記第１〜第３のリンク機構とを連結し、回転軸を回転中心にして患者用回転いすの周りに沿って回転されつつ所定角度で保持された前記顯微鏡と，モニターとを同時に，またはそれぞれ位置を調整する回転支持手段とから構成されることを特徴とする。
【００１２】
【発明の実施の形態】
以下，この発明に従う一実施例について添付図に沿つて詳述する。
【００１３】
(実施例１)
この発明の実施例１は，図３に示すように， 座面(31)と，背もたれ(32)と，足のせ用台(33)と，頭もたせかけ(34)と，ひじかけ(35)と，いす回転駆動部(36)とを備えた患者用回転いす(30)において，前記いす回転駆動部(36)の後側には操作スイッチボックス(40)が装着され，前記背もたれ(32)の後側の下端には左右方向へ自在に位置調整されるよう，第１のリンク機構(42a)によって吸引器(44)が装着され，該吸引器(44)の上面には治療用品(薬品および器具など)を並べ立てられるよう，複数の収納穴(46a)を穿設された器具棚(46)が装着されている。
【００１４】
前記背もたれ(32)の後側の上端には，左右および上下方向へ自在に位置調整されるよう，第２のリンク機構(42b)によってCCDカメラを備えた顯微鏡(48)を装着され，前記ひじかけ(35)の前側には左右方向へ自在に位置調整されるよう，第３のリンク機構(42c)によってモニター(50)が装着されている。
【００１５】
この際，前記操作スイッチボックス(40)は，前記吸引器(44)と，顯微鏡(48)と，モニター(50)とを制御するように連結されており，前記顯微鏡(48)とモニター(50)とは光ケーブルを利用したライトソース(Light Source)によって連結されている。
【００１６】
前記第１のリンク機構(42a)は，その長杆が複数個に分割されてヒンジピン(符号，図示なし)によって水平方向へ折りたたまれるように連結され，その一側端が前記背もたれ(32)の後面下端の中央に固定され，その他側端は前記吸引器(44)の側面の一側に固定されている。
【００１７】
前記第２のリンク機構(42b)は，その長杆が複数個に分割されてヒンジピン(符号，図示なし)によって垂直方向へ折りたたまれるように連結され，その一側端は前記背もたれ(32)の後面上端の中央に水平方向へ回転されるように固定され，その他側端は前記顯微鏡(48)が水平に回転されるよう顯微鏡(48)の上端に固定されている。
【００１８】
前記第３のリンク機構(42c)は，その長杆は複数個に分割されてヒンジピン(符号，図示なし)によって水平方向へ折りたたまれるように連結され，その一側端が前記ひじかけ(35)中のいずれか１つの前端の下部に固定され，その他側端は前記モニター(50)を水平方向へ回動されるよう，モニター(50)の下面中央に固定されている。
【００１９】
次に，かように構成されたこの発明の実施例１に沿う作用および効果について述べる。
【００２０】
耳を治療するため，患者が患者用回転いす(30)に腰を掛けていると，治療者は治療者用いす(図示なし)に腰を掛けている姿勢で背もたれ(32)に装着された顯微鏡(48)と吸引器(44)および器具棚(46)を使用しやすいよう，所定位置に移動させうるし，患者は患者用回転いす(30)に腰を掛けている姿勢でひじかけ(35)に装着されて左右方向へ移動および回転されるモニター(50)を通して自己の両耳の治療過程を観察することができる。
【００２１】
つまり，顯微鏡(48)と，吸引器(44)と，器具棚(46)および，患者用モニター(50)とは，それぞれ第１，２，３のリンク機構(42a,42b,42c)によって左右方向へ位置移動および，回転しやすいように装着されていることから，治療者がかぎられた空間で移動せずに，すべてのユニットを操作および治療できるため，治療時間が短縮でき，かつ治療の利便性を倍加せしめられる。
【００２２】
さらに，顯微鏡(48)を患者の耳に近寄せて治療をする際，CCDカメラで撮影された患者の内耳がモニター(50)で伝送されて再生されることから，患者用回転いす(30)に腰を掛けている患者は治療者が耳を治療する中，自己の治療過程をモニター(50)を通してきめ細かく観察できるばかりか，患者と患者保護者が治療過程についてモニター(50)を通して説明を受けることができるなどの治療効果に対する信頼度がさらに高められる。
【００２３】
また，顯微鏡(48)と，吸引器(44)と，器具棚(46)および，モニター(50)などは患者用回転いす(30)に装着されていることから，治療時間を短縮させうるし，診察室内における占有空間を最少化できるばかりか，治療器具の紛失および破損を最少化せしめるなどの利便性がさらに高められる。
【００２４】
(実施例２)
この発明の実施例２について添付図４〜7c（回転支持手段にモニターと顯微鏡を１８０゜に保持されるよう設置して患者用回転いすを回転中心にして，同時回転されうるようにされた図） を参照しつつ詳細に述べる。
【００２５】
ちなみに，この発明の実施例２に対して前記実施例１と同一構成に対しては，同一名称および符号を付してそれにつく重なる詳述は省くことにする。
【００２６】
この発明の実施例２に沿う耳診断治療用ユニットは，座面(31)と，背もたれ(32)と，足のせ用台(33)と，頭もたせかけ(34)と，ひじかけ(35)と，いす回転駆動部(36)とを備えた患者用回転いす(30)において，前記背もたれ(32)の上面の左右端には着脱が容易な複数の吸引器(52)がそれぞれ装着され，前記背もたれ(32)の側面の一側には操作スイッチボックス(40)が装着され，前記ひじかけ(35)の上面には腕帯で腕をとり巻いてから，腕帯内に空気を充たして腕を加圧してから，空気を徐に引抜く際，動脈の収縮期の血圧と弛緩期の血圧とを測定するよう，例えば，トンネル状からなる血圧測定器(54)が装着されている。
【００２７】
前記いす回転駆動部(36)の回転軸(36a)の外周に対し，下端の所定高さには患者用回転いす(30)の一側に第３のリンク機構(42c)を介して支持するモニター(50)と，他側に第２のリンク機構(42b)によって支持する顯微鏡(48)とを，例えば，１８０゜の間隔で保持するとともに，これらのモニター(50)と顯微鏡(48)とが患者用回転いす(30)を回転中心にして，その周りに沿って円を描きながら同時に回転，または停止されるよう回転支持手段(60)が装着されている。
【００２８】
この際，前記回転支持手段(60)は，前記回転軸(36a)の外周に軸受(70a)を介して同芯に支持されて回転軸(36a)の回転とは別に水平方向へ回転され，その上面の中央に対して周りに沿って所定間隔を隔てて複数の分割溝(72a)を削成された回転板(72)と，前記いす回転駆動部(36)のケース(74)の一側に穿設された開口穴(74a)にヒンジ軸(78)を介して水平方向へシーソ運動されるようにヒンジされて，その先端側のロック部(80a)がケース(74)内で前記複数の分割溝(72a)中，そのいずれかの１つと選択的に結合，または分離され，その後端はケース(74)の外部に突出されるプシュレバー(80)と，前記ケース(74)の一側とプシュレバー(80)の先端側の上面との間に設けられてプシュレバー(80)の先端側を下降動されるよう，弾発力を加える弾発部材(82)と，前記回転板(72)の外周面に対して１８０゜の間隔を隔てて相互に対向されるよう，水平方向へ一側端がそれぞれ固定される中空状の連結バー(90a,90b)と，前記連結バー(90a)内に一側端が挿入されて空回転されずに水平方向へ摺動されるよう，レ字状に折曲された固定バー(92a)と，該固定バー(92a)の上端の外周に装着されて上下移動され，その上端の所定高さに前記モニター(50)を第３のリンク機構(42c)によって支持する移動バー(98a)と，前記連結バー(90b)内に一側端が挿入されて空回転されずに水平方向へ摺動され，その所定高さに前記器具棚(46)を第１のリンク機構(42a)によって支持するよう，レ字状に折曲された固定バー(92b)と，該固定バー(92b)の上端の外周に装着されて上下移動され，その上端の所定高さに前記顯微鏡(48)を第２のリンク機構(42b)によって支持する移動バー(98b)とから構成されている。
【００２９】
この際，前記第１のリンク機構(42a)は，その長杆が複数個に分割されてヒンジピン(符号，図示なし)によって水平方向へ折りたたまれるように連結され，その一側端は前記固定バー(92b)の外周に水平方向へ回転されるように固定され，その他側端は前記器具棚(46)の下面の中央に固定されている。
【００３０】
前記第２のリンク機構(42b)は，その長杆が複数個に分割されてヒンジピン(符号，図示なし)によって垂直方向へ折りたたまれるように連結され，その一側端は前記移動バー(98b)の上端の外周に水平方向へ回転されるように固定され，その他側端は前記顯微鏡(48)を水平に回転されるよう顯微鏡(48)の上面の一側に固定されている。
【００３１】
前記第３のリンク機構(42c)は，その長杆は複数個に分割されてヒンジピン(符号，図示なし)によって水平方向へ折りたたまれるように連結され，その一側端は前記移動バー(98a)の外周に水平方向へ回転されるように固定され，その他側端は前記モニター(50)を水平方向へ回動されるようモニター(50)の下面の中央に固定されている。
【００３２】
前記回転板(72)は，輪状に形成されて，その中央側の内周面と前記回転軸(36a)の外周面との間に介在される軸受(70a)を介して圧入固定され，その下面の縁部側は前記回転軸(36a)の下端を回転可能に支持するベース板(100)の上面と軸受(70b)を介して安座されるように構成されている。
【００３３】
前記ケース(74)は，その下端が前記回転板(72)の上面に接触されず，かつ回転されないように前記回転軸(36a)の外周と軸受(70c)とを介して固定され，その側面の一側には前記プシュレバー(80)が貫通されるよう，開口穴(74a)を穿設され，該開口穴(74a)の上端の内面には水平に位置される固定片(74b)が一体に固定されている。
【００３４】
また，前記固定片(74b)の下面の中央には，垂直に位置される前後側に所定間隔を保持するよう，複数のヒンジ片(76)が一体に固定され，該複数のヒンジ片(76)の下部の中央には前記プシュレバー(80)をシーソ運動可能に支持するよう，プシュレバー(80)を貫通しつつその両端が複数のヒンジ片(76)に固定されるヒンジ軸(78)が設けられている。
【００３５】
前記プシュレバー(80)は，その先端に前記分割溝(72a)と対応するよう，ロック部(80a)が垂直に折曲され，その長杆の中央は前記ヒンジ軸(78)を介して前記ヒンジ片(76)の下端にヒンジされ，その後端は密着力を高められるよう，ノンスリップが付設されている。
【００３６】
前記弾発部材(82)は，例えば，圧縮コイルスプリングからなり，その一側端は前記固定片(74b)の先端の下面に固定され，その他側端は前記プシュレバー(80)の先端の上面に固定されている。
【００３７】
前記連結バー(90a,90b)と固定バー(92a,92b)とは，空回転されずに前後方向へ摺動されるよう，例えば，キー方式で結合されている。
【００３８】
前記移動バー(98a,98b)は，その外周の下端の一側をネジ式で貫通して前記固定バー(92a,92b)の外周面の所定高さに密着される調整ノーブ(98c)によって高低を調整されるように構成されている。
【００３９】
次に，かように構成されたこの発明の実施例２に沿う作用および効果について述べる。
【００４０】
患者用回転いす(30)に腰を掛けている患者に対し，例えば，右耳の治療を行う場合，図４，５に示すように，右耳に対応する位置に顯微鏡(48)が位置調整され，左耳に対応する位置にモニター(50)が位置調整されるよう，回転支持手段(60)を回転させる。
【００４１】
つまり，回転支持手段(60)によって１８０゜で対向するよう支持されたモニター(50)と，顯微鏡(48)とを患者用回転いす(30)に腰を掛けている患者の両耳に対応されるようにするためには，まず，図６ｂのごとく，治療者はケース(74)の外部に突出されているプシュレバー(80)を，例えば，足を利用して踏みこむと，プシュレバー(80)はケース(74)のヒンジ片(76)にヒンジされたヒンジ軸(78)を回転中心にして、シーソ運動されつつ，その先端側のロック部(80a)が上部で移動するようになり，そのロック部(80a)は上部で移動される際，回転板(72)の上面の周りに沿って所定間隔を隔てて分散削成された複数の分割溝(72a)中，嵌合されていた分割溝(72a)から分離されることによって，ロック部(80a)と回転板(72)との結合状態が解除され，その回転板(72)は軸受(70a)を介して連結された回転軸(36a)を回転中心にして，自在に回転されるようになる。
【００４２】
この際，治療者がプシュレバー(80)を踏みこんでいる状態で，回転板(72)に連結された顯微鏡(48)とモニター(50)とは患者用回転いす(30)に腰を掛けている患者の両耳にそれぞれ対応するよう，回転板(72)を所定方向へ回転させてから，踏みこんでいたプシュレバー(80)から足を離すと，プシュレバー(80)はケース(74)の固定片(74b)の先端の下面とプシュレバー(80)の先端の上面との間に介在された弾発部材(82)の弾発力によってシーソ運動をしつつ，その先端側のロック部(80a)は，図６ａのごとく，下降動されつつ回転板(72)に削成された複数の分割溝(72a)中，選択されたそのいずれかの１つと一致するとともに，分割溝(72a)内に嵌合されることによって，回転板(72)が回転されないように固定させることになる。
【００４３】
さらに，回転板(72)は，回転される際，その外周面の両側に１８０゜の間隔を隔てて相互に対向されるように固定された連結バー(90a,90b)を同時に回転せしめつつ，これらの連結バー(90a,90b)の一側端に順次，それぞれ連結された固定バー(92a,92b)と移動バー(98a,98b)とを同時に回転せしめることによって，移動バー(98a,98b)の上端にそれぞれ連結されたモニター(50)と顯微鏡(48)とを同時に回転させるようになる。
【００４４】
つまり，モニター(50)は，第３のリンク機構(42c)を介して前記移動バー(98a)に連結されており，顯微鏡(48)は第２のリンク機構(42b)を介して前記移動バー(98b)に連結されており，器具棚(46)は第１のリンク機構(42a)を介して前記固定バー(92b)に連結されていることから，例えば，治療者が顯微鏡(48)側の移動バー(98b)を把持して一方向へ回転させると，顯微鏡(48)側と１８０゜の間隔を隔てて移動バー(98a)に連結されたモニター(50)は，図７ａまたは図７ｂのごとく，患者用回転いす(30)を回転中心にして，その周りに沿って円を描きつつ所望の回転方向へ同時に回転するようになる。
【００４５】
かように，モニター(50)と顯微鏡(48)とは，１８０゜の間隔を保持するとともに，患者用回転いす(30)を回転中心にして，その周りに沿って円を描きつつ同時回転，または同時停止されうることから，患者用回転いす(30)に患者が腰を掛けている状態で治療者が患者の一方の耳に向けて顯微鏡(48)を位置させる際，モニター(50)は顯微鏡(48)が移動される回転距離だけ従動回転されつつ患者の視線と向い合う位置に自動調整される。 したがって，患者は位置を移動する必要がなく，治療者は顯微鏡(48)とともに患者用回転いす(30)の左側，または右側に移る治療方法によって患者の両耳を治療できる。
【００４６】
さらに，患者は指定された患者用回転いす(30)に腰を掛けており，治療者は指定された治療者用いす(図示なし)に腰を掛けている状態で，患者の両耳の治療を行う場合には，図７ｃに示すように，モニター(50)と顯微鏡(48)との位置は，そのままにして患者用回転いす(30)だけを，例えば，１８０゜位置に回転させるといい。
【００４７】
つまり，患者用回転いす(30)は，その回転軸(36a)が軸受(70a)を介して回転板(72)に連結されるとともに，またの軸受(70c)を介してケース(74)に連結され，回転板(72)はプシュレバー(80)を介してケース(74)と結合されていることから，座面(31)に連結された回転軸(36a)が回転される際，前記回転板(72)とケース(74)とは所定角度で停止された状態でありながら，従動回転されないようになる。
【００４８】
(実施例３)
この発明の実施例３について添付図８を参照しつつ詳細に述べる。
【００４９】
ちなみに，この発明の実施例３に対して前記実施例１，２と同一構成に対しては，同一名称および符号を付してそれにつく重なる詳述は省くことにする。
【００５０】
前記回転支持手段(60)は，前記回転軸(36a)の外周に固定されて同時に回転され，その外周面に沿って所定間隔を隔てて複数の分割溝(170)を削成された回転板(172)と，前記回転板(172)の外周および上面の縁部と対応されるよう，向い合われつつ水平方向へ正逆回転され，その内周面に前記複数の分割溝(170)と水平に対応するよう，複数の収納溝(174)を削成された回転輪(176)と，前記回転板(172)と回転輪(176)との間に対して水平面の一側に介在されて回転輪(176)の回転を自在に支持する軸受(178)と，前記収納溝(174)内に挿入された弾発部材(184)を介して収納溝(174)の開口に弾支されて前記分割溝(170)との摺接によって同時に結合，または分離されるロックボール(182)と，前記回転輪(176)の外周面に対して１８０゜の間隔を隔てて相互に対向されるよう，水平方向へ一側端がそれぞれ固定される中空状の連結バー(90a,90b)と，該連結バー(90a,90b)内に一側端がそれぞれ挿入されて空回転されずに水平方向へ摺動されるよう，レ字状にそれぞれ折曲された固定バー(92a,92b)と，該固定バー(92a,92b)の上端の外周にそれぞれ装着されてそれぞれ上下移動される移動バー(98a,98b)とから構成されている。
【００５１】
次に，かように構成されたこの発明の実施例３に沿う作用および効果について述べる。
【００５２】
回転支持手段(60)において，前記ロックボール(182)は，例えば，回転板(172)を回転中心にして，回転輪(176)が所定力によって強引に回転される際，ロックボール(182)と分割溝(170)との弧状(半円状)によって摺接が行われつつ，ロックボール(182)と分割溝(170)とが相互にくい違う区間では弾発部材(184)を加圧して後進移動されることによって，回転輪(176)が一方向へ回転されうるように作用し，ロックボール(182)と分割溝(170)が一致される区間では弾発部材(184)の弾発力によって前進移動されることによって，回転輪(176)が停止されるように作用をする。
【００５３】
つまり，ロックボール(182)は，分割溝(170)と一致される際，弾発部材(184)の弾発力によって分割溝(170)と強着されることから，回転輪(176)の回転力が弾発部材(184)の弾発力より大きい場合は，回転輪(176)は所望の方向へ回転されうるし，回転輪(176)の回転力が弾発部材(184)の弾発力より小さい場合は，回転輪(176)は回転されずに停止するようになる。
【００５４】
(実施例４)
この発明の実施例４について添付図９，１０（回転支持手段にモニターと顯微鏡とを設置して患者用回転いすを回転中心にして，それぞれ回転されうるようにされた図）を参照しつつ詳細に述べる。
【００５５】
ちなみに，この発明の実施例４に対して前記実施例１〜３と同一構成に対しては，同一名称および符号を付してそれにつく重なる詳述は省くことにする。
【００５６】
前記回転支持手段(60)は，前記回転軸(36a)の外周に上下に所定距離を隔ててそれぞれ固定されて同時に回転され，その外周面に沿って所定間隔を隔てて複数の分割溝(170a,170b)をそれぞれ削成された回転板(172a,172b)と，該回転板(172a,172b)の外周および上面の縁部と対応されるよう，向い合われつつ水平方向へそれぞれ正逆回転され，その周りの一側に前記分割溝(170a,170b)と水平にそれぞれ対応するよう，通穴(174a,174b)をそれぞれ穿設された回転輪(176a,176b)と，前記回転板(172a,172b)と回転輪(176a,176b)との間に対して荷重が集中される一側にそれぞれ介在されて回転輪(176a,176b)の回転をそれぞれ自在に支持する軸受(178a,178b)と，前記回転輪(176a,176b)の外周面の一側に固定ブラケット(１８０a,１８０b)をそれぞれ介して前後移動可能にそれぞれの支持されて，これらの先端が前記通穴(174a,174b)内で前記複数の分割溝(170a,170b)中，いずれかの１つとそれぞれ選択的に結合，または分離されるロックピン(182a,182b)と,前記固定ブラケット(１８０a,１８０b)内に設けられて前記ロックピン(182a,182b)は前記回転板(172a,172b)の外周面に向けてそれぞれ前進移動されるよう弾発力を加える弾発部材(184a,184b)と，前記固定ブラケット(１８０a,１８０b)の下端の一側にそれぞれヒンジ軸(186a,186b)を介して上下方向へそれぞれシーソ運動可能にヒンジされ，これらの上端は前記ロックピン(182a,182b)の後端に係止されて，例えば，ユーザーが足で踏みこむ際,ロックピン(182a,182b)をそれぞれ後進させるプシュレバー(188a,188b)と，前記回転輪(176a,176b)の外周面の一側に水平方向へ一側端がそれぞれ固定される中空状の連結バー(90a,90b)と，該連結バー(90a)内に一側端が挿入されて空回転されずに水平方向へ摺動されるよう，レ字状に折曲された固定バー(92a)と,前記固定バー(92a)の上端の外周に装着されて上下移動され，その上端の所定高さに前記モニター(50)を第３のリンク機構(42c)によって支持する移動バー(98a)と，前記連結バー(90b)内に一側端が挿入されて空回転されずに水平方向へ摺動され，その所定高さに前記器具棚(46)を第１のリンク機構(42a)によって支持するよう，レ字状に折曲された固定バー(92b)と，該固定バー(92b)の上端の外周に装着されて上下移動され，その上端の所定高さに前記顯微鏡(48)を第２のリンク機構(42b)によって支持する移動バー(98b)とから構成されている。
【００５７】
この際，前記回転板(172a,172b)は，前記回転軸(36a)に，例えば，溶接によって一体にそれぞれ固定されて同時に回転されるように構成されている。
【００５８】
前記回転板(172a)側の複数の分割溝(170a)と前記回転板(172b)側の複数の分割溝(170b)とは，前記回転軸(36a)を回転中心にして，相互に同一角度で分散されるよう，それぞれ削成されている。
【００５９】
前記固定ブラケット(１８０a,１８０b)は，逆コ字状にそれぞれ折曲され，その端部が前記回転輪(176a,176b)の外周面の一側に，例えば，複数の締結ボルト(符号，図示なし)によってそれぞれ固定されている。
【００６０】
前記ロックピン(182a,182b)は，その先端がまるめにそれぞれ形成され，その外周に対して長杆の中央にはロックピン(182a,182b)は前記回転輪(176a,176b)にそれぞれ穿設された通穴(174a,174b)に係止されてロックピン(182a,182b)の前進移動距離を制限するよう，係止突起(符号，図示なし)が一体にそれぞれ形成され，その後端には前記プシュレバー(188a,188b)の上端に容易に係止されるよう，折曲部(符号，図示なし)がそれぞれ形成されている。
【００６１】
前記弾発部材(184a,184b)は，例えば，圧縮コイルスプリングからなり，前記ロックピン(182a,182b)の後端部の外周にそれぞれ外嵌され，その一側端が前記固定ブラケット(１８０a,１８０b)の内面にそれぞれ係止されるように密着されるとともに，その他側端は前記ロックピン(182a,182b)の長さ側の中央に突設された係止突起(符号，図示なし)にそれぞれ係止されるように密着されている。
【００６２】
前記プシュレバー(188a,188b)は，例えば，レ字状にそれぞれ折曲されて水平部と垂直部とをなすように形成され，その垂直部の中央は前記ヒンジ軸(186a,186b)を介して前記固定ブラケット(１８０a,１８０b)の一側にそれぞれヒンジされ，その水平部は足のせ用台として使用されるよう，表面にノンスリップがそれぞれ付設されている。
【００６３】
図中，未説明符号70dは軸受を示す。
【００６４】
次に，かように構成されたこの発明の実施例４に沿う作用および効果について述べる。
【００６５】
回転支持手段(60)を操作して前記モニター(50)と顯微鏡(48)を患者用回転いす(30)を中心にして，例えば，左右向い合うよう位置調整をするためには，図９ａに示すように，いす回転駆動部(36)側の回転軸(36a)の下端の外周にそれぞれ固定された回転板(172a,172b)と回転輪(176a,176b)とが相互に拘束されずに回転自在にそれぞれ分離させるべきである。
【００６６】
かかる分離作用は，図９ｂに示すように，治療者がいす回転駆動部(36)の外側の下端に突出されたプシュレバー(188a)，またはプシュレバー(188b)をそれぞれ踏みこむと，前記プシュレバー(188a,188b)はヒンジ軸(186a,188b)を回転中心にして，それぞれシーソ運動されつつ，それらの上端は外側方向へ回転するようになり，これらのプシュレバー(188a,188b)の上端にそれぞれかみ合われているロックピン(182a,182b)は，プシュレバー(188a,188b)の動作によって水平方向へそれぞれ後進されつつ，それらの先端は前記回転板(172a,172b)の外周を沿って所定間隔を隔ててそれぞれ削成された複数の分割溝(170a,170b)からそれぞれ分離されるとともに，回転輪(176a,176b)の通穴(174a,174b)内にそれぞれ挿入されることによって，回転板(172a,172b)と回転輪(176a,176b)との結合状態を解除させることになり，これらの回転板(172a,172b)と回転輪(176a,176b)とは相互に異なる角度で回転される際，干渉されないようになる。
【００６７】
この際，治療者は上部回転輪(176a)に連結されて相互に対応されるように連動される連結バー(90a)と，固定バー(92a)と，移動バー(98a)と，第３のリンク機構(42c)および，モニター(50)とを患者用回転いす(30)を回転中心にして，その周りに沿って円を描きつつ所望の角度に位置されるように回転させうるし，さらに，下部の回転輪(176b)に連結されて相互に対応されるように連動される連結バー(90b)と，固定バー(92b)と，移動バー(98b)と，第１，２のリンク機構(42a,42b)と，器具棚(46)および，顯微鏡(48)とを患者用回転いす(30)を回転中心にして，その周りに沿って円を描きつつ所望の角度で位置されるように回転させうる。
【００６８】
さらに，モニター(50)と顯微鏡(48)とを所望の所定角度(α゜)でそれぞれ位置調整された後，治療者がプシュレバー(88a,88b)からそれぞれ足を離すと，図９ａに示すように，ロックピン(82a,82b)は弾発部材(84a)の弾発力によってそれぞれ水平方向へそれぞれ前進移動されつつ，それらの先端は回転板(72a,72b)の外周面に沿って所定間隔を隔てて分散削成された複数の分割溝(70a,70b)中，選択されたそのいずれかの１つの分割溝(70a,70b)にそれぞれ嵌合されることによって，回転板(72a,72b)と回転輪(76a,76b)は患者用回転いす(30)と同時に回転されうる状態におかれることになる。
【００６９】
かように，モニター(50)と顯微鏡(48)とは，前記ロックピン(82a,82b)のロッキング動作によって，図１０のごとく，患者用回転いす(30)を回転中心にして，その周りに沿って円を描きつつ所望の所定角度(α゜)でそれぞれ位置調整できることになる。
【００７０】
(実施例５)
この発明の実施例５について添付図１１，１２（回転支持手段にモニターと顯微鏡とを同時に設置して患者用回転いすを回転中心にして，同時回転されうるようにされた図）を参照しつつ詳細に述べる。
【００７１】
ちなみに，この発明の実施例５に対して前記実施例１〜４と同一構成に対しては，同一名称および符号を付してそれにつく重なる詳述は省くことにする。
【００７２】
前記患者用回転いす(30)のいす回転駆動部(36)側の回転軸(36a)には，患者用回転いす(30)を回転中心にして，その周りに沿って円を描きつつ３６０゜で回転，または停止され，さらに，前記モニター(50)と顯微鏡(48)とを１つのラインに連結しつつ患者用回転いす(30)を中心にして，その両側で相互に向い合うように支持する回転支持手段(60)が装着されている。
【００７３】
つまり，前記回転支持手段(60)は，前記回転軸(36a)に前記患者用回転いす(30)の回転とは別に回転自在に支持する回転板(72)と，前記回転板(72)の外周面に水平方向へ一側端が固定される中空状の連結バー(90b)と，該連結バー(90b)内に一側端が挿入されて空回転されずに水平方向へ摺動されるよう，レ字状に折曲され，その垂直端の所定高さに第１のリンク機構(42a)によって器具棚(46)を支持する固定バー(92b)と，該固定バー(92b)の上端の外周に装着されて上下移動され，その所定高さに第２のリンク機構(42b)によって顯微鏡(48)を支持する移動バー(98b)と，該移動バー(98b)の上端に装着されて左右回転されるよう，フ字形状に折曲され，その水平端の端部に第３のリンク機構(42c)によってモニター(50)を支持する支持バー(110)とから構成されている。
【００７４】
この際，前記連結バー(90b)と固定バー(92b)とは，空回転されずに前後方向へ摺動されるよう，例えば，キー方式で結合されている。
【００７５】
前記移動バー(98b)は，その外周の下端一側をネジ式で貫通して前記固定バー(92b)の外周面の所定高さに密着される調整ノーブ(98c)によって高低が調整されるように連結されている。
【００７６】
前記支持バー(110)は，その垂直端の下端は前記移動バー(98b)の上端内に同芯になるよう挿入されつつ，前記移動バー(98b)の上端の周りに一側を貫通する調整ノーブ(98d)によって垂直方向へ分離されないように連結されている。
【００７７】
次に，かように構成されたこの発明の実施例５に沿う作用および効果について述べる。
【００７８】
患者用回転いす(30)に腰を掛けている患者の耳を治療するため，図１１，１２に示すように，回転支持手段(60)を回転動させると，顯微鏡(48)とモニター(50)とは回転支持手段(60)の回転動につれて患者用回転いす(30)を回転中心にして，同時に移動されつつ患者の両側と対応されるようそれぞれ位置される。例えば，顯微鏡(48)が患者の右耳と対応する位置に調整されると，モニター(50)は患者の左耳と対応する位置に自動調整される。
【００７９】
つまり，回転支持手段(60)は，連結バー(90b)と，固定バー(92b)と,移動バー(98b)と，支持バー(110)とが順次に連結されて１つのラインをなすように構成された状態で，前記固定バー(92b)に第１のリンク機構(42a)を介して器具棚(46)が設けられ，前記移動バー(98b)に第２のリンク機構(42b)を介して顯微鏡(48)が設けられ，支持バー(110)に第３のリンク機構(42c)を介してモニター(50)が設けられる仕組みになっていることから，回転支持手段(60)を回転させると，これらの器具棚(46)と，顯微鏡(48)および，モニター(50)とが同時に移動するようになる。
【００８０】
とりわけ，支持バー(110)は，その垂直端の下部と移動バー(98b)の上端を固定する調整ノーブ(98d)の解除動作によって移動バー(98b)を回転中心にして，所定角度で回転調整されうるし，前記調整ノーブ(98d)の締付け動作によって所定位置で停止されうる仕組みになっていることから，支持バー(110)に第３のリンク機構(42c)によって連結されたモニター(50)と移動バー(98b)とに第２のリンク機構(42b)によって連結された顯微鏡(48)を患者用回転いす(30)を中心にして，相互に対向されるように調整することができる。
【００８１】
よって，支持バー(110)は，上述のこの発明の実施例２で2つの移動バー(98a,98b)によって顯微鏡(48)とモニター(50)とをそれぞれ支持する構成に比べて仕組みを単純化させうるばかりか，製造コストダウンが図りうる。
【００８２】
【発明の効果】
上述のように，この発明の患者用回転いすは，患者用回転いすに吸引器と，治療器具の器具棚と，カメラを付設された顯微鏡と,モニターと，これを制御するコントロールボックスおよび，治療器具とを備えた仕組みになっていることから，解剖学的に人体の１８０゜部分に位置された両耳とそれぞれ対応するよう，顯微鏡とモニターとを位置調整でき，これによって，顯微鏡を通して拡大された患者の細く暗い耳孔および鼓膜などを患者が反対側のモニターを通して自己の耳の治療過程を観察できるようにし，治療者は患者の耳を治療しつつ患者と患者保護者にモニターを通して治療過程を説明できることから，信頼度をさらに高められることはもとより，治療効果が極大化されるるし，ひいては，治療者と患者のすべてが移動することなしに，耳診断治療用ユニットの回転だけによって両耳の診断および治療を行えることから，治療者と患者の不都合と煩雑さを最少化できるとともに，治療時間を短縮せしめ，かつ診察室内の占有空間を最少化せしめる優れる効果がある。
【図面の簡単な説明】
【図１】  従来に従う耳鼻咽喉科治療用ユニットを示す平面図,
【図２】  従来に従う耳鼻咽喉科治療用ユニットを示す正面図,
【図３】  この発明の実施例１に係る患者用回転いすを示す側面図,
【図４】  この発明の実施例２に係る患者用回転いすを示す斜視図。
【図５】  この発明の実施例２に係る患者用回転いすを示す正面図。
【図６ａ】  この発明の実施例２に係る回転支持手段の動作前の状態を示す要部断面図。
【図６ｂ】  この発明の実施例２に係る回転支持手段の動作後の状態を示す要部断面図。
【図７ａ】  この発明の実施例２に係るモニターと顯微鏡とが患者用回転いすを中心にして１８０゜の間隔を保持しつつ患者用回転いすを回転中心にして同時回転されうることを示すための第１の状態の平面図。
【図７ｂ】  この発明の実施例２に係るモニターと顯微鏡とが患者用回転いすを中心にして１８０゜の間隔を保持しつつ患者用回転いすを回転中心にして同時回転されうることを示すための第２の状態の平面図。
【図７ｃ】  この発明の実施例２に係るモニターと顯微鏡が患者用回転いすを中心にして１８０゜の間隔を保持された状態で患者用回転いすが回転されうる状態を示す平面図。
【図８】  この発明の実施例３に係る回転支持手段でロックボールを利用した要部断面図,
【図９ａ】  この発明の実施例４に係る回転支持手段の動作前の状態を示す要部断面図。
【図９ｂ】  この発明の実施例４に係る回転支持手段の動作後の状態を示す要部断面図。
【図１０】  この発明の実施例４に係るモニターと顯微鏡とが患者用回転いすを中心にして，所定角度（α゜）を保持しつつ患者用回転いすを回転中心にして，それぞれ回転されうる状態を示す平面図。
【図１１】  この発明の実施例５に係る患者用回転いすを示す正面図。
【図１２】  この発明の実施例５に係るモニターと顯微鏡が患者用回転いすを中心にして，１８０゜の間隔を保持しつつ患者用回転いすを回転中心にして，同時回転されうる状態を示す平面図である。
【符号の説明】
30    患者用回転いす
32    背もたれ
35    ひじかけ
36    いす回転駆動部
36a    回転軸
40    操作スイッチボックス
42a,42b,42c    第１〜第３のリンク機構
44,52    吸引器
46    器具棚
48    顯微鏡
50    モニター
54    血圧測定器
60    回転支持手段
70a,70b,70c,70d    軸受
72    回転板
72a    分割溝
74    ケース
７4a    開口穴
74b    固定片
76    ヒンジ片
78    ヒンジ軸
80    プシュレバー
80a    ロック部
82    弾発部材
90a,90b    連結バー
92a,92b    固定バー
98a,98b    移動バー
98c,98d    調整ノーブ
100    ベース板
110    支持バー
170,170a,170b    分割溝
172,172a,172b    回転板
174    収納溝
174a,174b    通穴
176,176a,176b    回転輪
178,178a,178b    軸受
１８０a,１８０b    固定ブラケット
182    ロックボール
182a,182b    ロックピン
184,184a,184b    弾発部材
186a,186b    ヒンジ軸
188a,188b    プシュレバー
【図１】
0003794978.tif 000002
【図２】
0003794978.tif 000003
【図３】
0003794978.tif 000004
【図４】
0003794978.tif 000005
【図５】
0003794978.tif 000006
【図６ａ】
0003794978.tif 000007
【図６ｂ】
0003794978.tif 000008
【図７ａ】
0003794978.tif 000009
【図７ｂ】
0003794978.tif 000010
【図７ｃ】
0003794978.tif 000011
【図８】
0003794978.tif 000012
【図９ａ】
0003794978.tif 000013
【図９ｂ】
0003794978.tif 000014
【図１０】
0003794978.tif 000015
【図１１】
0003794978.tif 000016
【図１２】
0003794978.tif 000017